(57)【要約】【課題】  消費者の鼻の大小、高低等に応じて、ノーズパッドの取付け位置、取付け角度等の調整が可能なノーズパッド組立体を提供する。【解決手段】  メガネフレーム１６のフロント部１７に取り付けられるノーズパッド組立体１であって、パッド足２と、パッド足２の一端部に取り付けられるノーズパッド８と、パッド足２の他端部に一体に設けられるとともに、フロント部１７に接着剤等により一体に接合される基部１５とを備える。基部１５を接着剤等によりフロント部１７の裏面側に接合することにより、フロント部１７の裏面側の任意の位置にノーズパッド組立体１を取り付けることができるので、消費者の鼻の大小、高低等に応じて、ノーズパッド８の取付け位置、取付け角度を設定することができ、あらゆる消費者に対して良好な装着感を与えることができる。【選択図】        図３
2005258038.tif 000002
【特許請求の範囲】
【請求項１】
メガネフレームのフロント部に取り付けられるノーズパッド組立体であって、パッド足と、該パッド足の一端部に取り付けられるノーズパッドと、該パッド足の他端部に一体に設けられるとともに、前記フロント部に接合手段により一体に接合される基部とを備えてなることを特徴とするノーズパッド組立体。
【請求項２】
前記接合手段は、接着剤であることを特徴とする請求項１に記載のノーズパッド組立体。
【請求項３】
前記基部の前記フロント部との接合面に、少なくとも１つの凸部、凹部、又は凹部及び凸部を設けるとともに、該凸部、凹部、又は凹及び凸部に対応する前記フロント部の前記基部の接合面に該凸部、凹部、又は凹及び凸部と合致する凹部、凸部、又は凸部及び凹部を設けたことを特徴とする請求項１又は２に記載のノーズパッド組立体。
【請求項４】
前記パッド足の他端部には前記基部を取り付けるための基部取付部が設けられ、該基部取付部には前記パッド足が基部から抜けるのを防止するとともに、前記パッド足が基部に対して相対的に回転するのを防止する抜け・回転防止手段が設けられていることを特徴とする請求項１から３の何れかに記載のノーズパッド組立体。
【請求項５】
前記抜け・回転防止手段は、前記基部取付部に一体に設けられる外方に突出する突起であることを特徴とする請求項４に記載のノーズパッド組立体。
【請求項６】
前記パッド足の一端部にはパッド取付部が設けられ、該パッド取付部に前記ノーズパッドがパッド取付手段を介して取り付けられることを特徴とする請求項１から５の何れかに記載のノーズパッド組立体。
【請求項７】
前記パッド取付手段は、前記パッド取付部にねじによって固定される前記ノーズパッドに設けられる芯金であることを特徴とする請求項６に記載のノーズパッド組立体。
【請求項８】
前記パッド取付手段は、前記ノーズパッドに設けられる前記パッド取付部を嵌合させる溝であることを特徴とする請求項６に記載のノーズパッド組立体。
【請求項９】
前記パッド取付部にばね力を付与したことを特徴とする請求項８に記載のノーズパッド組立体。
【請求項１０】
前記パッド取付部に少なくとも１つの凸部又は凹部を設けるとともに、該凸部又は凹部に対応する前記ノーズパッドの溝の部分に該凸部又は凹部と相互に嵌合可能な凹部又は凸部を設けたことを特徴とする請求項８又は９に記載のノーズパッド組立体。
【発明の詳細な説明】
【技術分野】
【０００１】
本発明は、ノーズパッド組立体に関し、特に、メガネフレームのフロント部へのノーズパッドの取付け位置、取付け角度等の設定が可能であるとともに、ノーズパッドの取付け位置、取付け角度の微調整が可能なノーズパッド組立体に関するものである。
【背景技術】
【０００２】
メガネフレームは、レンズを保持する一対のレンズ保持枠、レンズ保持枠の内縁部間を連結するブリッジ、各レンズ保持枠の外縁部に蝶番を介して開閉自在に連結されるテンプル等の複数の部品から構成されている。
【０００３】
これらの複数の構成部品からなるメガネフレームのフロント部（ブリッジ、両レンズ保持枠）には、一対の鼻当て用のノーズパッドが設けられ、顔に装着したときに、この一対のノーズパッドを鼻の両側面に当接させ、両テンプルを両耳に係止させることにより、メガネフレームを顔の所定の位置に保持することができるものである。
【０００４】
ところで、上記のような構成のメガネフレームのうち、樹脂製のメガネフレームにあっては、フロント部の両レンズ保持枠及びブリッジを一体に形成するとともに、各レンズ保持枠の内縁部にノーズパッドを接着等により一体に接合している。
【０００５】
このため、ノーズパッドの取付け位置、ノーズパッド間の間隔、取付け角度等は製造の段階で設定されてしまい、消費者が購入する際に、消費者の鼻の大小、高低等に応じて、ノーズパッドの取付け位置、間隔、取付け角度等を設定することができず、あらゆる人に良好な装着感を与えることができない（特許文献１参照。）。
【特許文献１】特開２０００−２９２６０６号公報
【発明の開示】
【発明が解決しようとする課題】
【０００６】
本発明は、上記のような従来の問題を解決したものであって、消費者の鼻の大小、高低等に応じて、ノーズパッドの取付け位置、間隔、取付け角度等を設定することができ、これにより、あらゆる人に良好な装着感を与えることができるノーズパッド組立体を提供することを目的とするものである。
【課題を解決するための手段】
【０００７】
上記のような課題を解決するために、本発明の請求項１に係るノーズパッド組立体は、メガネフレームのフロント部に取り付けられるノーズパッド組立体であって、パッド足と、該パッド足の一端部に取り付けられるノーズパッドと、該パッド足の他端部に一体に設けられるとともに、前記フロント部に接合手段により一体に接合される基部とを備えてなる手段を採用している。
【０００８】
また、本発明の請求項２に係るノーズパッド組立体は、請求項１に記載のノーズパッド組立体であって、前記接合手段は、接着剤である手段を採用している。
【０００９】
さらに、本発明の請求項３に係るノーズパッド組立体は、請求項１又は２に記載のノーズパッド組立体であって、前記基部の前記フロント部との接合面に、少なくとも１つの凸部、凹部、又は凹部及び凸部を設けるとともに、該凸部、凹部、又は凹及び凸部に対応する前記フロント部の前記基部の接合面に該凸部、凹部、又は凹及び凸部と合致する凹部、凸部、又は凸部及び凹部を設けた手段を採用している。
【００１０】
さらに、本発明の請求項４に係るノーズパッド組立体は、請求項１から３の何れかに記載のノーズパッド組立体であって、前記パッド足の他端部には前記基部を取り付けるための基部取付部が設けられ、該基部取付部には前記パッド足が基部から抜けるのを防止するとともに、前記パッド足が基部に対して相対的に回転するのを防止する抜け・回転防止手段が設けられている手段を採用している。
【００１１】
さらに、本発明の請求項５に係るノーズパッド組立体は、請求項４に記載のノーズパッド組立体であって、前記抜け・回転防止手段は、前記基部取付部に一体に設けられる外方に突出する突起である手段を採用している。
【００１２】
さらに、本発明の請求項６に係るノーズパッド組立体は、請求項１から５の何れかに記載のノーズパッド組立体であって、前記パッド足の一端部にはパッド取付部が設けられ、該パッド取付部に前記ノーズパッドがパッド取付手段を介して取り付けられる手段を採用している。
【００１３】
さらに、本発明の請求項７に係るノーズパッド組立体は、請求項６に記載のノーズパッド組立体であって、前記パッド取付手段は、前記パッド取付部にねじによって固定される前記ノーズパッドに設けられる芯金である手段を採用している。
【００１４】
さらに、本発明の請求項８に係るノーズパッド組立体は、請求項６に記載のノーズパッド組立体であって、前記パッド取付手段は、前記ノーズパッドに設けられる前記パッド取付部を嵌合させる溝である手段を採用している。
【００１５】
さらに、本発明の請求項９に係るノーズパッド組立体は、請求項８に記載のノーズパッド組立体であって、前記パッド取付部にばね力を付与した手段を採用している。
【００１６】
さらに、本発明の請求項１０に係るノーズパッド組立体は、請求項８又は９に記載のノーズパッド組立体であって、前記パッド取付部に少なくとも１つの凸部又は凹部を設けるとともに、該凸部又は凹部に対応する前記ノーズパッドの溝の部分に該凸部又は凹部と相互に嵌合可能な凹部又は凸部を設けた手段を採用している。
【発明の効果】
【００１７】
本発明は、前記のように、パッド足の他端部の基部を接合手段によりフロント部に一体に接合するように構成したので、消費者の鼻の大小、高低等に応じて、パッド足の基部のフロント部に対する接合位置を調整することにより、ノーズパッド間の間隔、ノーズパッドの角度等を調整することができることになる。従って、あらゆる消費者に良好な装着感を与えることができる。
また、基部の凸部、凹部、又は凹及び凸部とフロント部の凹部、凸部、又は凸部及び凹部が係合することにより、基部のフロント部への接合強度を高めることができる。
さらに、パッド足の基部取付部にはパッド足が基部から抜けるのを防止するとともに、パッド足が基部に対して相対的に回転するのを防止する抜け・回転防止手段が設けられているので、使用中にパッド足が基部から抜け落ちたり、基部に対して相対的に回転するようなことはなく、ノーズパッドとしての機能を十分に発揮させることができる。
さらに、パッド足のパッド取付部にパッド取付手段を介してノーズパッドを取り付けることができるので、ノーズパッドの取付けが容易となる。
【発明を実施するための最良の形態】
【００１８】
以下、図面に示す本発明の実施の形態について説明する。
図１〜図３には、本発明によるノーズパッド組立体の第１の実施の形態が示されていて、図１はノーズパッド組立体の全体を示す斜視図、図２は図１のノーズパッド組立体の変形例を示す部分説明図、図３は図１のノーズパッド組立体をメガネフレームのフロント部に取り付ける前の状態及び取り付けた後の状態を示す説明図である。
【００１９】
すなわち、この実施の形態に示すノーズパッド組立体１は、パッド足２と、パッド足２の一端部に取り付けられるノーズパッド８と、パッド足２の他端部に一体に設けられる基部１５とを備えている。
【００２０】
パッド足２は、合成樹脂又は金属からなる丸棒状の線材を中央部から屈曲させて略Ｕ形状に形成し、この略Ｕ形状に形成したものの一端部に箱状のパッド取付部３を一体に設け、他端部に基部取付部５を一体に設けて構成したものである。
【００２１】
パッド足２のパッド取付部３にはパッド取付手段１３を介してノーズパッド８が取り付けられる。パッド取付手段１３は、後述するノーズパッド８に設けられる芯金１０であって、この芯金１０をパッド取付部３にねじ１４により固定することにより、ノーズパッド８がパッド足２に取り付けられる。
【００２２】
ノーズパッド８は、シリコン等から形成されるパッド部９と、パッド部９に一体に設けられる金属製の芯金１０とからなり、芯金１０をパッド足２のパッド取付部３にねじ１４によって固定することにより、ノーズパッド８がパッド足２の一端部に取り付けられる。
【００２３】
パッド足２の基部取付部５には、合成樹脂又は金属からなる略直方体状の基部１５が一体に設けられている。基部１５は、樹脂製の場合には、パッド足２の基部取付部５に一体に成形すれば良い。また、金属製の場合には、パッド足２の基部取付部５に溶接等によって一体に接合すれば良い。
【００２４】
図２に示すように、パッド足２の基部取付部５に抜け・回転防止手段６を設けても良い。抜け・回転防止手段６としては、例えば、基部取付部５に一体に設けた外方に突出する四角形状の突起７等が挙げられる。このような抜け・回転防止手段６を設けることにより、パッド足２が基部１５から抜け落ちるのを防止することができるとともに、パッド足２が基部１５に対して相対的に回転するのを防止することができる。抜け・回転防止手段６は、四角形状の突起７に限らず、基部取付部５から基部１５が抜け落ちるのを防止できる形状のものであれば良い。
【００２５】
メガネフレーム１６は、図３に示すように、一対のレンズ保持枠１８、１８、レンズ保持枠１８、１８の内縁部間を一体に連結するブリッジ１９、各レンズ保持枠１８の外縁部に蝶番２０を介して開閉自在に連結されるテンプル２１等の複数の部品から構成されている。メガネフレーム１６の各部品は、各種の樹脂又は金属から形成される。
【００２６】
一対のレンズ保持枠１８、１８及びブリッジ１９によってフロント部１７が構成される。フロント部１７の各レンズ保持枠１８の裏面側には、それぞれノーズパッド組立体１の基部１５が接合手段により一体に接合される。接合手段としては、各種の接着剤が挙げられ、基部１５の材質に応じたものを選択して使用すれば良い。
【００２７】
上記のように構成したこの実施の形態によるノーズパッド組立体１にあっては、基部１５を接着剤等によってフロント部１７の裏面側に接合することにより、フロント部１７の裏面側の任意の位置に取り付けることができるので、消費者の鼻の大小、高低等に応じて、ノーズパッド８の取付け位置、取付け角度を設定することができる。従って、あらゆる消費者に対して良好な装着感を与えることができる。
【００２８】
図４〜図６には、第１の実施の形態によるノーズパッド組立体１の変形例が示されている。
すなわち、図４に示すノーズパッド組立体１は、基部１５のフロント部１７との接合面に少なくとも１つの凸部１５ａ（この例では２つ）を設け、この凸部１５ａに対応するフロント部１７の部分に凸部１５ａと合致する凹部１７ｂを設け、それらの凸部１５ａと凹部１７ｂとを相互に係合させたものである。
【００２９】
また、図５に示すノーズパッド組立体１は、基部１５のフロント部１７との接合面に少なくとも１つの凹部１５ｂ（この例では２つ）を設け、この凹部１５ｂに対応するフロント部１７の部分に凹部１５ｂと合致する凸部１７ａを設け、それらの凹部１５ｂと凸部１７ａとを相互に係合させたものである。
【００３０】
さらに、図６に示すノーズパッド組立体は、基部１５のフロント部１７との接合面に少なくとも１つの凹部１５ｂ及び凸部１５ａを設け、この凹部１５ｂ及び凸部１５ａに対応するフロント部１７の部分に凹部１５ｂ及び凸部１５ａと合致する凸部１７ａ及び凹部１７ｂを設け、それらの凹部１５ｂ及び凸部１５ａと凸部１７ａ及び凹部１７ｂとを相互に係合させたものである。
【００３１】
このような変形例に示すノーズパッド組立体１は、基部１５側の凸部１５ａとフロント部１７側の凹部１７ｂとが相互に係合することにより、基部１５側の凹部１５ｂとフロント部１７側の凸部１７ａとが相互に係合することにより、又は基部１５側の凹部１５ｂ及び凸部１５ａとフロント部１７側の凸部１７ａ及び凹部１７ｂとが相互に係合することにより、基部１５のフロント部１７に対する接合強度を高めることができる。
【００３２】
図７には、本発明によるノーズパッド組立体の第２の実施の形態が示されている。このノーズパッド組立体１は、パッド足２を、合成樹脂又は金属からなる線材を中央部から屈曲させて略Ｕ形状に形成し、この略Ｕ形状に形成したものの一端部を更に内側に屈曲させて略Ｕ形状に形成し、この略Ｕ形状に形成した部分でパッド取付部３を構成したものであって、その他の構成は前記第１の実施の形態に示すものと同様である。
【００３３】
パッド取付部３には、前記第１の実施の形態に示すものと同様に、パッド取付手段１３を介してノーズパッド８が取り付けられる。パッド取付手段１３は、略Ｕ形状のパッド取付部３を嵌合させる後述するノーズパッド８に設けられる溝１２である。
【００３４】
ノーズパッド８は、図７に示すように、シリコン等から形成されるパッド部９と、パッド部９に一体に設けられる脚部１１とから構成される。脚部１１の根元部には、図８に示すように、所定の幅、深さの溝１２が全周に渡って設けられ、この溝１２がパッド取付手段１３として機能する。この溝１２内にパッド足２のパッド取付部３を嵌合させることにより、パッド足２にノーズパッド８が取り付けられる。この場合、パッド足２のパッド取付部３にばね力を付与し、パッド取付部３を溝１２の底面に圧接しても良い。このように構成することにより、ノーズパッド８がパッド足２から抜け落ちるのを効果的に防止することができる。
【００３５】
そして、上記のように構成したこの実施の形態によるノーズパッド組立体１を図３に示すメガネフレーム１６のフロント部１７に取り付ける場合にも、前記第１の実施の形態に示すものと同様に、基部１５を接着剤等によってフロント部１７の裏面側に接合することにより、フロント部１７の裏面側の任意の位置に取り付けることができるので、消費者の鼻の大小、高低等に応じて、ノーズパッド８の取付け位置、取付け角度を設定することができる。従って、あらゆる消費者に対して良好な装着感を与えることができる。
【００３６】
なお、この実施の形態においても、前記第１の実施の形態の変形例と同様に、基部１５のフロント部１７との接合面に少なくとも１つの凸部を設け、この凸部に対応するフロント部１７の部分に凸部と合致する凹部を設け、それらの凸部と凹部とを相互に係合させても良いし、基部１５のフロント部１７との接合面に少なくとも１つの凹部を設け、この凹部に対応するフロント部１７の部分に凹部と合致する凸部を設け、それらの凹部と凸部とを相互に係合させても良いし、基部１５のフロント部１７との接合面に少なくとも１つの凹部及び凸部を設け、この凹部及び凸部に対応するフロント部１７の部分に凹部及び凸部と合致する凸部及び凹部を設け、それらの凹部及び凸部と凸部及び凹部とを相互に係合させても良い。
【００３７】
図９〜図１４に第２の実施の形態のノーズパッド組立体１の変形例を示す。
図９及び図１０に示すノーズパッド組立体１は、パッド足２のパッド取付部３を上方が開口する略円環状に形成し、ノーズパッド８を、円板状のパッド部９の中心部に円柱状の脚部１１を一体に設け、脚部１１の根元部に全周に渡って所定の深さの溝１２を設けて構成したものである。この場合、ノーズパッド８の溝１２がパッド取付手段１３として機能している。
【００３８】
図１１〜図１３に示すノーズパッド組立体１は、パッド足２のパッド取付部３を上方が開口する略円環状に形成し、このパッド取付け部３の内面側に内方に突出する一対の突起４、４を設け、ノーズパッド８を、略楕円板状のパッド部９の中心部に円柱状の脚部１１を一体に設け、脚部１１の根元部に全周に渡って所定の深さの溝１２を設けて構成したものである。この場合、ノーズパッド８の溝１２がパッド取付手段１３として機能する。また、パッド取付部３の一対の突起４、４は溝１２の底面に圧接されている。パッド取付部３にばね力を付与し、一対の突起４、４を溝１２の底面に強く圧接しても良い。
【００３９】
なお、図示はしないが、突起４、４に対応する溝１２の部分に、突起４、４を嵌合させる凹部（図示せず）を設けても良い。また、溝１２側に凸部（図示せず）を設け、凸部に対応するパッド取付部３の部分に凸部と係合可能な凹部（図示せず）を設けても良い。
【００４０】
図１４に示すノーズパッド組立体１は、下方が開口する略円環状のパッド取付部３と、パッド取付部３の内面側に設けられる一対の突起４、４とを備えたパッド足２を有している。
【００４１】
そして、これらの変形例のノーズパッド組立体１にあっても、前記第１、第２の実施の形態のノーズパッド組立体１と同様の作用効果を奏するものである。
【図面の簡単な説明】
【００４２】
【図１】本発明によるノーズパッド組立体の第１の実施の形態を示した斜視図である。
【図２】基部取付部の変形例を示した部分説明図である。
【図３】図１のノーズパッド組立体をメガネフレームのフロント部に取り付ける前の状態及び取り付けた後の状態を示した斜視図である。
【図４】第１の実施の形態のノーズパッド組立体の変形例を示した部分拡大断面図である。
【図５】第１の実施の形態のノーズパッド組立体の変形例を示した部分拡大断面図である。
【図６】第１の実施の形態のノーズパッド組立体の変形例を示した部分拡大断面図である。
【図７】本発明によるノーズパッド組立体の第２の実施の形態を示した斜視図である。
【図８】図７のパッド取付部の断面図である。
【図９】第２の実施の形態のノーズパッド組立体の変形例を示した説明図であって、パッド足の部分図である。
【図１０】第２の実施の形態のノーズパッド組立体の変形例を示した説明図であって、パッドの斜視図である。
【図１１】第２の実施の形態のノーズパッド組立体の変形例を示した説明図であって、パッドの斜視図である。
【図１２】第２の実施の形態のノーズパッド組立体の変形例を示した説明図であって、パッド足の部分図である。
【図１３】図１２のパッド取付部の断面図である。
【図１４】第２の実施の形態のノーズパッド組立体の変形例を示した部分図である。
【符号の説明】
【００４３】
１  ノーズパッド組立体
２  パッド足
３  パッド取付部
４  突起
５  基部取付部
６  抜け・回転防止手段
７  突起
８  ノーズパッド
９  パッド部
１０  芯金
１１  脚部
１２  溝
１３  パッド取付手段
１４  ねじ
１５  基部
１５ａ、１７ａ  凸部
１５ｂ、１７ｂ  凹部
１６  メガネフレーム
１７  フロント部
１８  レンズ保持枠
１９  ブリッジ
２０  蝶番
２１  テンプル
【図１】
2005258038.tif 000003
【図２】
2005258038.tif 000004
【図３】
2005258038.tif 000005
【図４】
2005258038.tif 000006
【図５】
2005258038.tif 000007
【図６】
2005258038.tif 000008
【図７】
2005258038.tif 000009
【図８】
2005258038.tif 000010
【図９】
2005258038.tif 000011
【図１０】
2005258038.tif 000012
【図１１】
2005258038.tif 000013
【図１２】
2005258038.tif 000014
【図１３】
2005258038.tif 000015
【図１４】
2005258038.tif 000016